(57)【要約】      （修正有）【課題】ペットが装着することでペットを火災によるやけどや落下物による負傷から守るペット用防災用品、及び人間が装着しペットをその内部に収納することでペットを安全に避難させるペット用防災用品を提供する。【解決手段】不燃素材或いは難燃素材で形成された表地、裏地及びクッション材とにより成り展開した状態で略長方形状をなし、一方短辺の中央部付近が短辺長の略二分の一にわたり縫合されていると共に、長辺に締結部材を設けた。又、不燃素材或いは難燃素材で形成された表地、裏地及びクッション材とにより成り開閉自在な開口部を有する袋体と、袋体の両端部に設けた吊り下げベルトとで構成した。  【選択図】図１
0003108404.tif 000002
【実用新案登録請求の範囲】
【請求項１】
不燃素材或いは難燃素材で形成された表地と、不燃素材或いは難燃素材で形成された裏地と、表地と裏地との間に介在させる不燃素材或いは難燃素材で形成されたクッション材とにより成り、展開した状態で略長方形状をなし、一方短辺の中央部付近で短辺長の略二分の一にわたり縫合されていると共に、長辺に締結部材を設けたことを特徴とするペット用防災用品。
【請求項２】
不燃素材或いは難燃素材で形成された表地、不燃素材或いは難燃素材で形成された裏地、表地と裏地との間に介在させる不燃素材或いは難燃素材で形成されたクッション材とにより成り開閉自在な開口部を有する袋体と、袋体の両端部に設けた吊り下げベルトとにより成るペット用防災用品。  
【考案の詳細な説明】
【技術分野】
【０００１】
本考案はペット用防災用品に関し、より詳しくは犬・猫・うさぎ等用防災頭巾、及び犬猫等を運搬するための防災キャリーに関する。
【背景技術】
【０００２】
一般的な防災頭巾は表地と裏地との間に綿等のクッション材を収容して、当該表地と裏地との周縁部を縫い合わせて形成してある。
【０００３】
又、耐火耐熱性に優れた防災頭巾に関する特許文献として、特開平９−２１７２２０号公報がある。ここに特開平９−２１７２２０号公報記載の防災頭巾は、アルミニウム皮膜を形成した表地とファイバーボード片を装着した中間シート及び難燃性の裏地より成るものである。
【特許文献１】特開平９−２１７２２０号公報
【考案の開示】
【考案が解決しようとする課題】
【０００４】
地震などの災害時に使用する防災用品は防災頭巾等が多数存在するが、犬・猫・うさぎ等のペット用の防災用品は考案されていない。しかるにペットのことを家族の一員と考える人も多い現在、ペット用の防災用品の考案が望まれる。
【０００５】
そこで本考案はペット用防災用品、より具体的にはペットが装着することでペットを火災によるやけどや落下物による負傷から守るペット用防災用品、及び人間が装着しペットをその内部に収納することでペットを安全に避難させるペット用防災用品を提供することを目的とする。
【課題を解決するための手段】
【０００６】
上記課題を解決するために請求項１記載の考案は以下のように構成した。すなわち不燃素材或いは難燃素材で形成された表地、不燃素材或いは難燃素材で形成された裏地、表地と裏地との間に介在させる不燃素材或いは難燃素材で形成されたクッション材とにより成り、展開した状態で略長方形状をなし、一方短辺の中央部付近が短辺長の略二分の一にわたり縫合されていると共に、長辺に締結部材を設けた。
【０００７】
又、請求項２記載の考案は以下の部材で構成した。不燃素材或いは難燃素材で形成された表地及び不燃素材或いは難燃素材で形成された裏地及び表地と裏地との間に介在させる不燃素材或いは難燃素材で形成されたクッション材とにより成り開閉自在な開口部を有する袋体と、袋体の両端部に設けた吊り下げベルト。  
【考案の効果】
【０００８】
以下、上述のように構成される本考案がいかに作用して課題を解決する効果を有するかを図面を参照しながら述べる。
【０００９】
図１は請求項１記載の防災用品の正面図であり、図２は同じく締結部材を結んだ状態での正面図であり、図３は同じく縫合状態を解いた展開図であり、図４は同じく使用状態を示す参考図であり、図５は請求項２記載の防災用品の斜視図であり、図６は同じく使用状態を示す参考斜視図である。
【００１０】
図１に示すように請求項１記載に係る防災用品は、ペットに被せることが可能な形状に設けられている。又図２や図４に示すように締結部材２を結ぶことでペットに固定することが可能なものである。
【００１１】
しかも不燃素材或いは難燃素材で形成された表地、不燃素材或いは難燃素材で形成された裏地、表地と裏地との間に介在させる不燃素材或いは難燃素材で形成されたクッション材とにより形成されていることから、火災によるやけどや落下物による負傷からペットを守ることが可能となるのである。
【００１２】
又、請求項２記載に係る防災用品は開閉自在な開口部を有する袋体３を有するものである。当該袋体３内にペットを収納し、吊り下げベルト４を飼い主等の運搬者の一方肩から他方脇下にたすき状に掛け渡してペットを運搬するものである。この際開口部３ａが閉まる方向、すなわち図５でいえば右上側を運搬者の肩側にもってきて使用するものである。
【００１３】
そして袋体３は不燃素材或いは難燃素材で形成された表地、不燃素材或いは難燃素材で形成された裏地、表地と裏地との間に介在させる不燃素材或いは難燃素材で形成されたクッション材とにより形成されていることから、火災によるやけどや落下物による負傷からペットを守ることが可能となるのである。
【００１４】
又、図６において示すように吊り下げベルトをたすき状に掛け渡せば、ペットを抱きかかえる必要は必ずしもなく、ぶら下げる形態で、すなわち運搬者が両手を使える状態で使用することも可能である。
【００１５】
又、図６においては袋体３内に収納されたペット（犬）が顔を外に出した状態を示しているが、ペットを袋体３内に完全に収納した状態で開口部を完全に閉めて運搬することも可能である。
【００１６】
尚、本考案に係るペット用防災用品はいずれもペットを覆う形状で使用するものであるので、ペットに対する保温効果をも有するものである。
【考案を実施するための最良の形態】
【００１７】
以下好ましい考案の一実施形態につき図面を参照しながら述べる。
【００１８】
請求項１記載に係る防災用品は表地、裏地及び表地と裏地との間に介在させるクッション材より成る本体１と、締結部材２とにより成るものである。
【００１９】
本体１は図３に示すように縫合を解き、展開した状態で略長方形状をなすものである。図中一点鎖線で示される仮想中心線で折り曲げ、一方短辺の中央部付近を略二分の一にわたり縫合することで形成するものである。図中点線で示される部分が縫合範囲であり、縫合した状態すなわち完成品を示すものが図１である。そして本体１の素材は以下のようなものが好ましい。すなわち表地はアルミックス。クッション材は難燃性能を付与した発泡ウレタンや難燃性綿。裏地はセラミックファイバーやコーデランといった不燃性又は難燃性の繊維。
【００２０】
又、本体１の両長辺に締結部材２が設けてある。ここに締結部材２は本体１をペットに固定するためのものであり、弾性を有する紐帯で構成されるものである。図３は締結部材を結んだ状態を示しており、図４はペットに装着した状態を示したものである。
【００２１】
請求項２記載に係る防災用品は表地、裏地及び表地と裏地との間に介在させるクッション材より成る袋体３と、吊り下げベルト４とにより成るものである。
【００２２】
袋体３はファスナ等の開閉部材３ｂにより開閉自在な開口部３ａを有するものである。袋体３の素材は以下のようなものが好ましい。すなわち表地はアルミックス。クッション材は難燃性能を付与した発泡ウレタンや難燃性綿。裏地はセラミックファイバーやコーデランといった不燃性又は難燃性の繊維。
【００２３】
又、袋体３の両端部には吊り下げベルト４が設けてある。ここに吊り下げベルト４は袋体３を運搬者の肩等に吊下するためのものであり、バックル５を介在させて長さ調整可能に設けてある。
【図面の簡単な説明】
【００２４】
【図１】請求項１記載の防災用品の正面図。
【図２】同じく締結部材を結んだ状態での正面図。
【図３】同じく縫合状態を解いた展開図。
【図４】同じく使用状態を示す参考図。
【図５】請求項２記載の防災用品の斜視図。
【図６】同じく使用状態を示す参考斜視図。
【符号の説明】
【００２５】
１・・本体      ２・・締結部材
３・・袋体      ４・・吊り下げベルト
【図１】
0003108404.tif 000003
【図２】
0003108404.tif 000004
【図３】
0003108404.tif 000005
【図４】
0003108404.tif 000006
【図５】
0003108404.tif 000007
【図６】
0003108404.tif 000008